(57)【要約】  容器のための封鎖システムであって、容器の穴を覆って位置するように構成され、流体の通路となる開口（１７）を少なくとも１つ有している基部キャップ（１１）、基部キャップを覆うように配置でき、流体またはミルクの通過を許容する開口を有しており、流体が該開口を通過できる開放位置と、流体の該開口の通過を事実上阻止する閉鎖位置との間で移動可能な外側キャップ（１２）、外側キャップ（１２）に組み合わされ、流体の通過のための出口（４１）を有するノズルまたは乳首（１３）、および、外側キャップ（１２）の内部空間から外側キャップ（１２）よりも上方の領域まで延びる溝の形態の通路（３０）からなる封鎖システム。
2005512914.tif 000002
【特許請求の範囲】
【請求項１】
容器のための封鎖システムであって、
容器の穴を覆って位置するように構成され、流体の出入りのための開口を少なくとも１つ有している基部キャップ、
基部キャップを覆うように配置でき、流体の通過を許容する開口を有しており、流体が該開口を通過できる開放位置と、流体の該開口の通過を事実上防止する閉鎖位置との間で移動可能な外側キャップ、
該外側キャップに組み合わされるよう構成され、流体の通過のための出口を有するノズル、および
外側キャップの内部から外側キャップよりも上方の領域まで延びる通路
からなる封鎖システム。
【請求項２】
前記通路が、前記ノズルに形成された溝である請求項１に記載の封鎖システム。
【請求項３】
前記通路が、前記外側キャップに形成された溝である請求項１に記載の封鎖システム。
【請求項４】
前記通路が、前記外側キャップの上面に外部環境への出口を有している請求項２または３に記載の封鎖システム。
【請求項５】
前記通路が、前記ノズルの外表面に外部環境への出口を有している請求項２または３に記載の封鎖システム。
【請求項６】
前記通路が、前記外側キャップの上面と前記ノズルの外表面との間に外部環境への出口を有している請求項４または５に記載の封鎖システム。
【請求項７】
前記ノズルが、下部フランジを有している請求項１または６に記載の封鎖システム。
【請求項８】
前記通路が、前記フランジの上面に形成されている請求項７に記載の封鎖システム。
【請求項９】
前記通路への入り口が、前記外側キャップの内側の周辺領域に設けられている請求項１に記載の封鎖システム。
【請求項１０】
前記入り口が、前記フランジの周縁と、隣接する前記外側キャップの側壁内表面の対応する部位との間に位置している請求項９に記載の封鎖システム。
【請求項１１】
前記通路が、前記入り口から、半径方向内側に向かって延びている請求項１０に記載の封鎖システム。
【請求項１２】
前記通路が、前記ノズルの上部の周りを回る螺旋状部分を有している請求項１１に記載の封鎖システム。
【請求項１３】
前記通路が、前記ノズルの上部の周りを、前記入り口について７２０°螺旋状に回っている請求項１２に記載の封鎖システム。
【請求項１４】
前記通路が、前記螺旋状部分の内側端から上方へと延びている請求項１３に記載の封鎖システム。
【請求項１５】
前記ノズルが、前記フランジの上方に位置する鍔を有している請求項１４に記載の封鎖システム。
【請求項１６】
前記通路が、前記外側キャップの上部壁の下面に形成されている請求項１４に記載の封鎖システム。
【請求項１７】
前記通路を容器内の流体が出ないよう封じるため、前記通路への入り口を封じるための封止手段を有する請求項１または１６に記載の封鎖システム。
【請求項１８】
前記封止手段が、可撓性の裾からなる請求項１７に記載の封鎖システム。
【請求項１９】
前記可撓性の裾が、前記外側キャップの対向する表面と接するように構成されたリップからなる請求項１８に記載の封鎖システム。
【請求項２０】
前記リップが、前記フランジの周端に位置している請求項１９に記載の封鎖システム。
【請求項２１】
前記封止手段が、周縁にリップを有する環状の部材からなる請求項１９に記載の封鎖システム。
【請求項２２】
前記基部が、前記基部キャップの中心の周りに位置する複数の開口を有している請求項１に記載の封鎖システム。
【請求項２３】
前記基部キャップが、外側側壁に、前記外側キャップの内側側壁の対応するねじと結合する外側のねじを有している請求項１に記載の封鎖システム。
【請求項２４】
前記基部キャップが、側壁外表面に雄ねじを有し、該雄ねじが、本封鎖システムの開放位置および閉鎖位置を規定するための少なくとも２つの横断溝を備えている請求項２３に記載の封鎖システム。
【請求項２５】
前記外側キャップが、開放位置と閉鎖位置の間を動くべく回転するよう構成されている請求項２４に記載の封鎖システム。
【請求項２６】
前記外側キャップが開放位置にあるとき、外側キャップと基部キャップとの間に第１の室がもたらされ、外側キャップとノズルとの間に第２の室がもたらされるように構成されている請求項２５に記載の封鎖システム。
【請求項２７】
前記外側キャップが、外側キャップの回転に抵抗を与えるように構成された少なくとも１つの突起を有している請求項２６に記載の封鎖システム。
【請求項２８】
前記外側キャップが前記開口を開くべく所定の距離の回転を終えたときに、前記外側キャップの回転に抵抗を与えるための係止手段を有している請求項２７に記載の封鎖システム。
【請求項２９】
前記係止手段が、前記外側キャップに設けられた少なくとも１つの突起、および前記基部キャップに設けられた少なくとも１つの溝からなる請求項２８に記載の封鎖システム。
【請求項３０】
前記通路が、液体の通過を制限する表面張力をもたらすように設計されている請求項１に記載の封鎖システム。
【発明の詳細な説明】
【技術分野】
【０００１】
本発明は、液体の瓶などの容器の封鎖システムに関する。しかしながら、本発明は、気体および有害な化学品を含む化学流体など、あらゆる種類の流体の容器に関する。
【背景技術】
【０００２】
本発明は、同時係属中の国際特許出願ＰＣＴ／ＡＵ０１／０１０９１号に開示の発明に関係する。
【０００３】
乳幼児用の瓶は、通常、乳首またはノズルを有するねじ込み式キャップから構成された封鎖システムを備えている。乳首に吸い付いた乳幼児は、瓶の中のミルクを吸い出すことが可能である。
【０００４】
不幸なことに、上述のように瓶からミルクを飲んでいる乳幼児が、疝痛の問題に遭遇することがしばしばある。疝痛の問題は、乳幼児がミルクと同時に空気を吸い込んでしまった場合に生じる。
【０００５】
乳幼児用の現状の瓶の問題点は、乳首を備えた瓶のキャップが、乳首の穴を通じての瓶内部空間への空気の進入を防止できないという点にある。このような空気の流れは、乳幼児が乳首の穴を通してミルクを吸ったときにノズル内に生み出される負圧によって、自動的に生じる。
【発明の開示】
【発明が解決しようとする課題】
【０００６】
本発明は、好ましくは、従来に代わる形式の封鎖システムであって、乳幼児用の瓶に用いたとき、乳首の穴を通ってミルクとともに吸い出される空気の量を減らすことのできる封鎖システムを提供する。
【０００７】
本発明によれば、容器のための封鎖システムであって、容器の１つまたは複数の穴を覆って位置するように構成され、流体を通過させるための開口を少なくとも１つ有している基部キャップ、該基部キャップを覆うように配置でき、流体の通過を許容する開口を少なくとも１つ有しており、流体が各開口または該開口を通過できる開放位置と、流体の該開口の通過を事実上阻止する閉鎖位置との間で移動可能な外側キャップ、該外側キャップに組み合わされるべく構成され、流体の通過のための出口を有するノズル、および、外側キャップの内側空間から外側キャップよりも上方の領域まで延びる通路からなる封鎖システムが提供される。
【０００８】
前記通路が、空気または気体のための溝またはその他の導管からなると好ましい。
【０００９】
前記通路が、前記外側キャップの上面に外部環境への出口を有していると好ましい。
【００１０】
あるいは、前記通路が、前記ノズルの外表面に外部環境への出口を有していてもよい。
【００１１】
前記通路が、前記外側キャップの上面と前記ノズルの外表面との間に外部環境への出口を有していると好ましい。
【００１２】
前記通路が、前記ノズルおよび／または前記外側キャップに形成された溝からなると好ましい。
【００１３】
前記ノズルが、下部フランジを有していると好ましい。
【００１４】
前記通路が、該フランジの上面に形成されていてもよい。
【００１５】
前記通路が、前記ノズルの下面に入り口を有していてもよい。
【００１６】
前記通路が、前記ノズルの下面に入り口を有していると好ましい。
【００１７】
該入り口が、前記フランジの下部縁に位置していてもよい。
【００１８】
前記通路が、前記ノズルの周縁に沿って延びていると好ましい。
【００１９】
前記通路が、前記ノズルの上部の周囲を回る螺旋状部分を有していると好ましい。
【００２０】
前記通路が、前記ノズルの中心の周囲を、少なくとも１回回って延びていると好ましい。
【００２１】
前記通路が、前記ノズルの中心の周囲を、前記入り口から７２０°回って延びていると好ましい。
【００２２】
前記通路が、前記螺旋状部分の内側端から上方へと延びていてもよい。
【００２３】
前記通路が、前記入り口から半径方向内側に入った位置で、前記螺旋状部分の内側端から上方へと延びていると好ましい。
【００２４】
前記通路が、前記外側キャップの上面の内側下面に形成されていると好ましい。
【００２５】
前記ノズルが、前記フランジの上方に位置する鍔を有していると好ましい。
【００２６】
前記ノズルは、可撓性であってよい。
【００２７】
前記ノズルが中心体を備え、該中心体の底部に前記フランジを有すると好ましい。
【００２８】
前記出口が、前記鍔の下面の溝からなり、該溝が該鍔の周縁まで延びていると好ましい。
【００２９】
前記通路が、前記フランジから、前記中心体の外表面に沿って上方に延びていてもよい。
【００３０】
前記フランジが、前記ノズルを前記外側キャップの内面に対して封じるための封止手段からなる周縁を備えていてもよい。
【００３１】
該封止手段が、可撓性の裾からなっていてもよい。
【００３２】
該裾が、下方に向かって延びていると好ましい。
【００３３】
該裾が、前記外側キャップの側壁の内表面と接する端部を有していると好ましい。
【００３４】
前記鍔が、前記外側キャップの上面に載るよう構成されていると好ましい。
【００３５】
前記フランジの上面が、前記外側キャップの上部壁の下面に当接するよう構成されていると好ましい。
【００３６】
前記入り口は、前記フランジの周縁と、隣接する前記外側キャップの側壁内表面の対応する部位との間に位置していてもよい。
【００３７】
別の実施の形態によれば、前記通路が、前記外側キャップの上部壁の下面に形成された溝からなる。
【００３８】
前記出口は、前記開口を囲んでいる内周縁の溝からなってよい。
【００３９】
前記入り口が、前記フランジの内側の周縁に近接して位置していると好ましい。
【００４０】
前記入り口は、フランジの内側側端部から外面まで延びる小さな坑口であってよい。
【００４１】
前記出口が、前記外側キャップの壁を通って延びていると好ましい。
【００４２】
前記坑口が、前記ノズルの中心の周りを延びる溝に連絡していると好ましい。
【００４３】
前記坑口が、前記外側キャップの側壁へと出ていてもよい。
【００４４】
前記基部キャップおよび前記外側キャップは、外側キャップが基部キャップ上にねじ込みできるように構成されていてもよい。
【００４５】
前記外側キャップが、側壁の内面に雌ねじを有し、該雌ねじを横切る突起を少なくとも１つ備えていると好ましい。
【００４６】
前記外側キャップが、突起を２つ有していると好ましい。
【００４７】
前記基部キャップが、側壁外側面に雄ねじを有し、該雄ねじを横断する溝を少なくとも１つ備えていてもよい。
【００４８】
一実施の形態によれば、本封鎖システムの開放位置および閉鎖位置を規定するため、前記基部キャップが横断溝を２つ備えている。
【００４９】
他の実施の形態によれば、前記基部キャップが、２つの雄ねじのそれぞれに、間隔を空けて配置された２つ横断溝を有している。
【００５０】
本封鎖システムは、前記開口を開くべく前記外側キャップを所定の距離回転させ終えたときに、該外側キャップの回転に抵抗を与えるための係止手段を有していてもよい。
【００５１】
該係止手段は、前記突起／横断溝の組み合わせからなっていてもよい。
【００５２】
前記係止手段が、前記外側キャップを閉鎖位置へと回転させ終えたときに、該外側キャップの回転に抵抗を与えてもよい。
【００５３】
回転への抵抗は、前記基部キャップを容器からひねって外すために必要な力よりも、わずかに大きくてよい。
【００５４】
用語「からなる、有する、備える」は、非排他的に解釈されるべきであり、追加の特徴がさらに加えられてもよい。
【００５５】
本発明の好ましい実施の形態を、添付の図面を参照しつつ、あくまで一例として以下に説明する。
【発明を実施するための最良の形態】
【００５６】
図１ａに示すとおり、封鎖システムは、基部キャップ１１および外側キャップ１２ならびに乳首１３からなる。
【００５７】
図２ａに示す基部キャップは、おおむね円筒形の形状であって、側壁１４および円形の平らな壁１５からなり、円形の壁１５は、等間隔の４つの開口１７に囲まれた中央ドーム１６を備えている。側壁１４には、２つのねじ部１９、２０からなる雄ねじ１８が設けられ、各ねじには、基部キャップ１１の中心線に対して約９０°の間隔で配置された垂直方向の溝２１が設けられている。
【００５８】
基部キャップの内面（図では見えていない）には、基部キャップを瓶の首部へとねじ込むことができるよう、雌ねじが設けられている。さらに、上面１５の下方から見ることができるが、環状の縁が上面１５の直下から下方に向かって延び、開口１７を囲んでいる。
【００５９】
図３ａに示す外側キャップは、基部キャップ１１と同様の形状を有し、把持および回転を容易にするため、側壁２２を巡って外周の城郭風の紋様を有している。外側キャップ１２の内面２３には、基部キャップ１１の雄ねじと係合するように構成された雌ねじまたは溝が設けられている。さらに、２つの雌ねじのそれぞれを横切って垂直方向の突起２４が設けられており、基部キャップ１１の雄ねじに設けられた溝と係合するように構成されている。
【００６０】
外側キャップ１２の上部壁２５の上面は、おおむね平坦であり、円形の開口が設けられている。上部壁２５の下面２６も、おおむね平坦である。
【００６１】
図４ａに示す乳首１３は、弾性を有するプラスチックまたはゴム材料から作られ、環状の薄い基部２７、乳首本体２８、および環状の基部２７のわずかに上方に配置された小さな鍔２９からなる。
【００６２】
図４ｂに示すように、薄いフランジの形状である基部２７は、溝の形態である通路３０を有している。この溝は、基部２７の周縁の開始点３１から始まり、まず外縁３２に沿って垂直上方に延び、次いで符号３３で示すとおり半径方向に内側に向かってわずかな距離を延び、その後、乳首主本体２８の周囲を螺旋３４の形態で巡り、乳首主本体２８の周りを２回転した後に、前記部位３３とほぼ一致する線上を、半径方向に内側に向かって（符号３５で示すとおり）わずかな距離延びている。
【００６３】
その後、この溝は、乳首主本体２８の外壁を垂直上方に延び、次いで、符号３６で鍔２９の下面を半径方向外側へと延びている。この通路３０は、外部環境への出口３７で終了している。
【００６４】
基部２７は環状であり、乳首主本体２８内への流体の出入りを可能にする中央開口３８を有している。
【００６５】
使用時、各構成部品１１、１２および１３は、図１ａおよび１ｂに示すとおり組み立てられる。すなわち、乳首が、乳首主本体２８が外側キャップ１２の開口を通って突き出すよう、外側キャップ１２に組み合わされる。基部２７の上面３９が、外側キャップの下面２６に当接する。このようにして、溝３０が囲われた通路となる。
【００６６】
鍔２９は、外側キャップの開口を通って押し出され、該開口を囲む外側キャップ１２の内周縁に載っている。
【００６７】
半径方向外側へと延びる溝３６のみが、上面２５の水準よりも上方に位置し、一方、溝の残りの部分は、基部２７よりも上方の垂直部位を除き、上部壁２５の直下に位置している。
【００６８】
封鎖用構造体が開状態である第１の動作モードにおいて、基部キャップ１１が瓶の首（図示せず）へとねじ込まれ、外側キャップ１２が、該外側キャップ１２の雌ねじの突起２４が、基部キャップ１１の雄ねじの一番上の垂直溝２１内に静止する位置まで、基部キャップ１１へとねじ込まれている。
【００６９】
この時点において、外側キャップ１２の上面２５は、基部キャップ１１の上面１５と離れて上方にある。すなわち、図１ａに示すとおり、上部壁１５と上部壁２５の間に空間４０が存在している。したがって、通常は基部２７の開口３８を塞いで封止している中央ドーム１６が、この開口３８から離れており、瓶を逆さにしたとき、流体が乳首主本体２８へと入り乳首出口４１から出ることができる。
【００７０】
流体が出口４１から取り出されるとき、封鎖用構造体内部に負圧が生まれ、その結果、利用可能なあらゆる開口を通じて外部環境から空気が入ろうとする。この開口とは、通常は出口４１である。しかしながら、出口３７から入り口３１まで、図１Ｂに示す通路３０が設けられているため、空気を、出口３７を通り、溝３４による通路を巡り、基部２７の周縁の外側を下って、室４０へと引き込むことができる。次いで、空気は開口１７のいずれか１つを下方へと通過し、出口４１を通って瓶から出た流体を置換することができる。この結果、空気の進入のため、出口４１を通過するよりも抵抗の少ない経路がもたらされるので、流体のみが出口４１を通って流れようとし、空気は通路３０を通過する。
【００７１】
このように、外側キャップと基部キャップ１１の間の空間により、２つの室が形成される。これらの室の一方は、外側キャップ１２の上方にあり、他方は、外側キャップ１２の下方かつ基部キャップ１１の上方にある。すなわち、液体が両方の室を満たすことができ、通路３０がこれら通路内の液体を中立圧力に保つ。換言すると、瓶を逆さにした際、重力以外に液体に加わる外力はなく、液体の単純な落下、あるいは乳幼児などによる吸引を可能にすべく出口４１が開かれるまで、液体がこれらの室内に保たれる。
【００７２】
この液体に加わる正味の圧力がゼロであるため、ノズルに吸い付いた乳幼児が、圧力に逆らって吸引をすることがなく、したがって、空気を吸い込む可能性が少なくなる。
【００７３】
液体が出口４１から出ると、瓶からの新しい液体が、流れ出た液体を置換すべく２つの室に流入する。
【００７４】
基部２７は、周縁に下方へと延びる裾４２を有する可撓性の環状フランジであり、この裾４２が封として機能する。
【００７５】
出口４１から流体が、例えば吸引動作によって吸い出されるとき、裾４２は、空気がより容易に室４０へと入ることができるよう、わずかに下方へと動くことができる。一方、流体が出口４１から吸い出されてはいないとき、裾４２は、外側キャップ１２の隣接する内面４３と当接する位置をとる。
【００７６】
これにより、小さな入り口開口３１を除き、基部２７の周囲を巡る封止がもたらされる。
【００７７】
封鎖用構造体を閉じたいと望む場合には、単に外側キャップ１２を封鎖用構造体を開放するための方向と反対の方向に回転させ、基部２７の底面４３を基部カバー１１の上面１５に押し付けて、ドーム１６が開口３８に嵌まって開口３８を封止するようにすればよい。
【００７８】
開口１７が基部２７によって覆われるため、流体が該開口１７を通って瓶の内部から逃げ出すことはできない。
【００７９】
基部キャップ１１の一番下の垂直溝２１は、外側キャップが封鎖位置に来たことを知らせるため、外側キャップの突起２４の対応する１つを受け止めるように構成されている。
【００８０】
前記封鎖用構造体によって、乳幼児用の瓶から出口４１を通って出る流体の通過を許容しまたは阻止するため、乳幼児用の瓶の容易な開閉方法が提供される。さらに、通路の配置によって、空気が封鎖用構造体内に形成された室へと進入できるようになり、出口４１を通っての空気の進入を防止、または少なくとも制限することができる。
【００８１】
前記実施の形態を、通路を前記と反対に形成するよう変更し、通路を乳首１３ではなく、外側キャップ１２の溝として形成してもよい。
【００８２】
図５に、本発明の別の実施の形態による封鎖用構造体を示す。
【００８３】
先の実施の形態と同様、封鎖システムは、基部キャップ１１１、外側キャップ１２１、および乳首１３１からなる。さらに、乳幼児用瓶５０も図示されており、外面にねじを有する首部を備えている。基部キャップ１１１が、瓶の首部５１へとねじ込まれ、封鎖用構造体は、先の実施の形態に関して述べたのと同様のやり方で機能する。
【００８４】
本実施の形態と先の実施の形態との主たる相違点は、
ｉ．乳首１３１の設計、および
ｉｉ．外側キャップ１２１の設計
である。
【００８５】
先の実施の形態においては、図４Ａに示されているとおり、乳首に小さな鍔２９が設けられている。さらに、図４Ｂに示されているとおり、環状の基部２７の周縁の開始点３１から延び、乳首主本体２８の周りを螺旋状に巡り、小さな鍔３９の下方を出口点３７まで延びる溝の形態である通路３０が設けられている。
【００８６】
対照的に、図５の乳首１３１は、乳首の基部２７に溝の形態の通路が形成されていない。代わりに、外側キャップ１２１の下面に通路が設けられており、これが図８に最も分かりやすく示されている。すなわち、外側キャップ１２１の下面に、通路３００の入り口点３２０が、外側キャップ１２１の上部の内面１１２に位置して設けられている。
【００８７】
先の実施の形態の乳首における通路と同様、通路３００は、入り口点３２０に始まり、外側キャップ１２１の中心に向かって半径方向内側に部分的に延び、次いで、外側キャップ１２１の開口を螺旋上に巡っている。通路３００は、開口１１３の周りを螺旋状に２回（７２０°）巡り、外側キャップ１２１の内周縁かつ前記入り口点３２０と一致する線上にある出口で終了している。
【００８８】
短い外部通路または溝を、前記出口点３５０から乳首の外表面を垂直上方に、そして乳首の鍔２９０の下側に、先の実施の形態において設けたものと同様に乳首の外表面に設けてもよい。
【００８９】
外側キャップに通路３００を設けることによって、通路が堅固なものとなり、通路の完全性の問題および適切な通路を乳首に設ける困難性を回避できる。
【００９０】
すでに述べたとおり、乳首の基部の周縁の下方には、使用のため瓶を逆さにした際に撓んで空気の進入を許し、さらに瓶が握りつぶされた場合に通路を通っての流体の流出を防止する封として機能することができるよう、充分薄くて弾性のある裾４２または仕切膜が、依然として設けられている。したがって、実際に瓶を握りつぶすと、流体に圧力が加わり、垂れ蓋が外側キャップの内周縁との封を有効にするよう押しつけられ、液体が仕切膜の周囲を通過して通路の入り口点３２０へと流れることがないようにする。
【００９１】
前記と同じ目的を達成するため、独立した仕切膜を、乳首の基部の直下に配置することもできる。同様に、垂れ蓋を、基部キャップ１１１を覆っているが、流体の通過を許容するよう基部キャップ１１１の穴に対応する穴を有している或る種の覆いに設けてもよい。また垂れ蓋を、外側キャップ１２１の内表面に設けてもよい。
【００９２】
通路３０、３００に螺旋状の経路を持たせることで、表面張力の効果があり、瓶５０からの流体の漏れ低減に役立つことに注目すべきである。
【００９３】
図９〜１１に、基部キャップ１１１の種々の図面を示す。これは、先の実施の形態の基部キャップと事実上同じである。
【００９４】
本明細書で何らかの先行技術文献に言及したとしても、そのような言及によって、当該文献がオーストラリアまたはその他の国において、この技術分野における共通の一般的知識を構成していると認めたわけではない。
【図面の簡単な説明】
【００９５】
【図１ａ】本発明の好ましい実施の形態による封鎖システムの正面断面図である。
【図１ｂ】図１ａに示した封鎖システムの拡大図である。
【図２ａ】本発明の好ましい実施の形態による基部キャップの斜め上方からの図である。
【図２ｂ】図２ａに示した基部キャップの側面図である。
【図３ａ】本発明の好ましい実施の形態による外側キャップの斜め前方からの図である。
【図３ｂ】図３ａに示した外側キャップの斜め下方からの図である。
【図４ａ】本発明の好ましい実施の形態による乳首の正面図である。
【図４ｂ】図４ａに示した乳首の断面図である。
【図５】本発明の封鎖システムを備えた乳幼児用瓶を分解して示した斜視図であり、本発明のさらなる実施の形態による。
【図６】本発明のさらなる実施の形態による外側キャップの上面図である。
【図７】図６に示した外側キャップの側面図である。
【図８】図６に示した外側キャップの底面図である。
【図９】さらなる実施の形態による基部キャップの上面図である。
【図１０】図９に示した基部キャップの側面図である。
【図１１】図９に示した基部キャップの底面図である。
【図１Ａ】
2005512914.tif 000003
【図１Ｂ】
2005512914.tif 000004
【図２Ａ】
2005512914.tif 000005
【図２Ｂ】
2005512914.tif 000006
【図３Ａ】
2005512914.tif 000007
【図３Ｂ】
2005512914.tif 000008
【図４Ａ】
2005512914.tif 000009
【図４Ｂ】
2005512914.tif 000010
【図５】
2005512914.tif 000011
【図６】
2005512914.tif 000012
【図７】
2005512914.tif 000013
【図８】
2005512914.tif 000014
【図９】
2005512914.tif 000015
【図１０】
2005512914.tif 000016
【図１１】
2005512914.tif 000017
【国際調査報告】
2005512914.tif 000018
2005512914.tif 000019
2005512914.tif 000020